(57)【要約】【課題】本体吹出口から外部への水滴の飛び出しを防止する空気調和機を提供する。【解決手段】本体前面下部に設けた本体吸込口２と本体前面上部に設けた本体吹出口３の間に、上流側から順に送風機７、熱交換器９、電気ヒーター１０を配設し、さらに縦桟１１ａと横桟１１ｂからなる金網１１を前記本体吹出口３近傍に配設し、前記縦桟１１ａのピッチが前記横桟１１ｂのピッチより小さくなるようにしたもので、横桟１１ｂに結露する水滴の数が減り、合体した水滴が縦桟１１ａを伝わって熱交換器９側に落下するので、本体吹出口３から外への水滴の飛び出しを防止することができる。【選択図】図１ 
2005127557.tif 000002
【特許請求の範囲】
【請求項１】
本体前面下部に設けられた上流側の本体吸込口から本体前面上部に設けられた下流側の本体吹出口の間に、上流側から順に送風機、熱交換器、加熱手段が配設された空気調和機において、縦桟と横桟からなる吹出部保護装置を前記本体吹出口近傍に配設し、前記縦桟のピッチが前記横桟のピッチより小さくなるようにしたことを特徴とする空気調和機。
【請求項２】
本体前面下部に設けられた上流側の本体吸込口から本体前面上部に設けられた下流側の本体吹出口の間に、上流側から順に送風機、熱交換器、加熱手段が配設された空気調和機において、縦桟と横桟からなる吹出部保護装置を前記本体吹出口近傍に配設し、前記横桟が前記縦桟に対して斜めになるようにしたことを特徴とする空気調和機。
【請求項３】
本体前面下部に設けられた上流側の本体吸込口から本体前面上部に設けられた下流側の本体吹出口の間に、上流側から順に送風機、熱交換器、加熱手段が配設された空気調和機において、縦桟と横桟からなる吹出部保護装置を前記本体吹出口近傍に配設し、前記縦桟と前記横桟がひし形になるようにしたことを特徴とする空気調和機。
【請求項４】
吹出部保護装置を本体吹出口に対して平行になるように配設したことを特徴とする請求項１〜３のいずれか１項記載の空気調和機。
【請求項５】
縦桟を風上側に、横桟を風下側になるようにしたことを特徴とする請求項１〜４のいずれか１項記載の空気調和機。
【発明の詳細な説明】
【技術分野】
【０００１】
本発明は、空気調和機に関し、特に吹出部保護装置の構成に関するものである。
【背景技術】
【０００２】
図６（ａ）、（ｂ）は従来の空気調和機の縦断面図および吹出部保護装置の１例を示す正面図である。図において、１は空気調和機本体で、前面下部に設けられた本体吸込口２、前面上部に設けられた本体吹出口３、本体背面を形成するリアパネル４、本体前面のフロントパネル５等で構成されている。６はリアパネル４の下部に取り付けられたケーシングで、このケーシング６の内部に送風機７が収納されている。この送風機７は一端がリアパネル４で支持されたモータ７ａと、モータ７ａの他端の軸に取着されたファン８で形成されている。
【０００３】
６ａは本体吸込口２に対向するケーシング吸込口、６ｂは本体内上部に向かって開口するケーシング吹出口、９はケーシング６の上方に配設された熱交換器である。１０は電気ヒ−タ−（加熱手段）で熱交換器９に取付られ、１１は複数の縦桟１１ａと複数の横桟１１ｂで構成され吹出部を保護する吹出部保護装置となる金網で、４本の脚部１１ｃで熱交換器９に取付られ、本体吹出口３近傍に配設されている。また、金網１１は、電気ヒ−タ−１０の前に取付られ、空気調和機内部の部品の破損や内部でのけがなどを防止するようにしていた（例えば、特許文献１参照）。
【特許文献１】特開２００２−２３５９５０号公報
【発明の開示】
【発明が解決しようとする課題】
【０００４】
しかしながら、上記従来の金網１１からなる吹出部保護装置の構成では、縦桟１１ａのピッチが横桟１１ｂのピッチより大きいため、冷房運転時に横桟１１ｂに結露水滴が多数発生し、特に水滴が多数結露した状態でファン８の回転数をアップすると、水滴が本体吹出口３の外へ飛び出すという課題を有していた。
【０００５】
本発明はこのような従来の課題を解決するものであり、結露した水滴が本体吹出口の外に飛び出すことの無い空気調和機を提供することを目的とする。
【課題を解決するための手段】
【０００６】
前記従来の課題を解決するために、本発明の空気調和機は、本体前面下部に設けられた上流側の本体吸込口から本体前面上部に設けられた下流側の本体吹出口の間に、上流側から順に送風機、熱交換器、加熱手段が配設された空気調和機において、縦桟と横桟からなる吹出部保護装置を前記本体吹出口近傍に配設し、前記縦桟のピッチが前記横桟のピッチより小さくなるようにしたもので、横桟に結露する水滴の数が減り、合体した水滴が縦桟を伝わって熱交換器側に落下するので、本体吹出口から外への水滴の飛び出しを防止することができる。
【０００７】
また、本発明の空気調和機は、本体前面下部に設けられた上流側の本体吸込口から本体前面上部に設けられた下流側の本体吹出口の間に、上流側から順に送風機、熱交換器、加熱手段が配設された空気調和機において、縦桟と横桟からなる吹出部保護装置を前記本体吹出口近傍に配設し、前記横桟が前記縦桟に対して斜めになるようにしたもので、横桟に多数結露した水滴を合体させて、熱交換器側に落下させることができ、本体吹出口から外への水滴の飛び出しを防止することができる。
【０００８】
さらに本発明の空気調和機は、本体前面下部に設けられた上流側の本体吸込口から本体前面上部に設けられた下流側の本体吹出口の間に、上流側から順に送風機、熱交換器、加熱手段が配設された空気調和機において、縦桟と横桟からなる吹出部保護装置を前記本体吹出口近傍に配設し、前記縦桟と前記横桟がひし形になるようにしたもので、縦桟および横桟に多数結露した水滴を合体させて、熱交換器側に落下させることができ、本体吹出口から外への水滴の飛び出しを防止すると共に、汎用の金網を吹出部保護装置として使用することができ、コストを安くすることができる。
【発明の効果】
【０００９】
本発明の空気調和機は、横桟に結露する水滴の数を減らすと共に、合体した水滴が縦桟を伝わって熱交換器側に落下することで、本体吹出口から外部への水滴の飛び出しが防止できるものである。
【発明を実施するための最良の形態】
【００１０】
第１の発明は、 本体前面下部に設けられた上流側の本体吸込口から本体前面上部に設けられた下流側の本体吹出口の間に、上流側から順に送風機、熱交換器、加熱手段が配設された空気調和機において、縦桟と横桟からなる吹出部保護装置を前記本体吹出口近傍に配設し、前記縦桟のピッチが前記横桟のピッチより小さくなるようにしたもので、横桟に結露する水滴の数が減り、合体した水滴が縦桟を伝わって熱交換器側に落下するので、本体吹出口から外への水滴の飛び出しを防止することができる。
【００１１】
第２の発明は、本体前面下部に設けられた上流側の本体吸込口から本体前面上部に設けられた下流側の本体吹出口の間に、上流側から順に送風機、熱交換器、加熱手段が配設された空気調和機において、縦桟と横桟からなる吹出部保護装置を前記本体吹出口近傍に配設し、前記横桟が前記縦桟に対して斜めになるようにしたもので、横桟に多数結露した水滴を合体させて、熱交換器側に落下させることができ、本体吹出口から外への水滴の飛び出しを防止することができる。
【００１２】
第３の発明は、本体前面下部に設けられた上流側の本体吸込口から本体前面上部に設けられた下流側の本体吹出口の間に、上流側から順に送風機、熱交換器、加熱手段が配設された空気調和機において、縦桟と横桟からなる吹出部保護装置を前記本体吹出口近傍に配設し、前記縦桟と前記横桟がひし形になるようにしたもので、縦桟および横桟に多数結露した水滴を合体させて、熱交換器側に落下させることができ、本体吹出口から外への水滴の飛び出しを防止すると共に、汎用の金網を吹出部保護装置として使用することができ、コストを安くすることができる。
【００１３】
第４の発明は、特に、第１〜３のいずれか１つの発明の吹出部保護装置を本体吹出口に対して平行になるように配設したもので、合体した水滴が縦桟を伝わって熱交換器側に落下させることができ、本体吹出口から外への水滴の飛び出しを防止することができる。
【００１４】
第５の発明は、特に、第１〜４のいずれか１つの発明の縦桟を風上側に、横桟を風下側になるようにしたもので、合体した水滴は縦桟を伝わって熱交換器側に落下させることができ、本体吹出口から外への水滴の飛び出しを防止することができる。
【００１５】
以下、本発明の実施の形態について、図面を参照しながら説明する。なお、この実施の形態によって本発明が限定されるものではない。
【００１６】
（実施の形態１）
図１（ａ）、（ｂ）は本発明の第１の実施の形態における空気調和機の縦断面図および金網の正面図である。なお、従来の空気調和機と同一部分については同一符号を付してそ
の説明は省略する。
【００１７】
本実施の形態では、図１（ａ）に示すように、吹出部保護装置である金網１１の縦桟１１ａのピッチを横桟１１ｂのピッチより小さくしたものである。それにより、横桟１１ｂに結露する水滴の数が減ると共に、合体した水滴が縦桟１１ａを伝わって熱交換器９側に落下させることができ、本体吹出口３から外部への水滴の飛び出しを防止することができるものである。
【００１８】
（実施の形態２）
図２は、本発明の第２の実施の形態における空気調和機の金網の正面図である。なお、従来の空気調和機および上記実施の形態と同一部分については同一符号を付してその説明は省略する。
【００１９】
本実施の形態では、図２（ａ）、（ｂ）に示すように金網１１の横桟１１ｂを縦桟１１ａに対して斜めにしたもので、横桟１１ｂに多数結露した水滴を合体させて、熱交換器９側に落下させることができ、本体吹出口３の外への水滴の飛び出しを防止するという効果を奏する。
【００２０】
（実施の形態３）
図３は本発明の第３の実施の形態における空気調和機の金網の正面図である。なお、従来の空気調和機および上記実施の形態と同一部分については同一符号を付してその説明は省略する。
【００２１】
この実施の形態では、金網１１の縦桟１１ａと横桟１１ｂのいずれも斜めにして、ひし形になるようにしたもので、縦桟１１ａおよび横桟１１ｂに多数結露した水滴を合体させて、熱交換器９側に落下させることができ、本体吹出口３の外への水滴の飛び出しを防止するという効果を奏すると共に、汎用の金網を使用することができ、コストを安くすることができるという効果を奏する。
【００２２】
（実施の形態４）
図４は本発明の第４の実施の形態における空気調和機の縦断面図である。なお、従来の空気調和機および上記実施の形態と同一部分については同一符号を付してその説明は省略する。
【００２３】
本実施の形態では、図に示すように金網１１を本体吹出口３に対して略平行になるようにして設けたもので、合体した水滴は落下し易く、そして縦桟１１ａを伝わって熱交換器９側に落下させることができ、本体吹出口３の外への水滴の飛び出しを防止するという効果を奏する。
【００２４】
（実施の形態５）
図５は本発明の第５の実施の形態における空気調和機の金網の側面図である。なお、従来の空気調和機および上記実施の形態と同一部分については同一符号を付してその説明は省略する。
【００２５】
本実施の形態では、金網１１の縦桟１１ａを風上側に、横桟１１ｂを風下側になるように配したもので、合体した水滴は縦桟１１ａを伝わって熱交換器９側に落下させることができ、本体吹出口３の外への水滴の飛び出しを防止するという効果を奏する。
【産業上の利用可能性】
【００２６】
以上のように、本発明にかかる空気調和機は、本体吹出口から外部への水滴の飛び出し
が防止できるので、熱交換器を有する家庭用、業務用の各種空調機器に広く適用できるものである。
【図面の簡単な説明】
【００２７】
【図１】（ａ）本発明の実施の形態１における空気調和機の縦断面図、（ｂ）同空気調和機の金網の正面図
【図２】（ａ）本発明の実施の形態２における空気調和機の金網の正面図、（ｂ）金網の他の例を示す正面図
【図３】本発明の実施の形態３における空気調和機の金網の正面図
【図４】本発明の実施の形態４における空気調和機の縦断面図
【図５】本発明の実施の形態５における空気調和機の金網の要部側面図
【図６】（ａ）従来の空気調和機の縦断面図、（ｂ）同空気調和機の金網の正面図
【符号の説明】
【００２８】
１    本体
２    本体吸込口
３    本体吹出口
４    リアパネル
５    フロントパネル
６    ケーシング
６ａ  ケーシング吸込口
６ｂ  ケーシング吹出口
７    送風機
７ａ  モータ
８    ファン
９    熱交換器
１０    電気ヒーター（加熱手段）
１１    金網（吹出部保護装置）
１１ａ  縦桟
１１ｂ  横桟
１１ｃ  脚部
【図１】
2005127557.tif 000003
【図２】
2005127557.tif 000004
【図３】
2005127557.tif 000005
【図４】
2005127557.tif 000006
【図５】
2005127557.tif 000007
【図６】
2005127557.tif 000008